【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
高効率ワイヤレス周波数分割多重化の方法であって、
ワイヤレスデバイスの第１のセットが、ワイヤレスデバイスの第２のセットよりも高いパフォーマンス特性を有すると決定することと、
前記決定に基づいて、前記ワイヤレスデバイスの第１のセットがワイヤレス周波数の第１のセットを利用し、前記ワイヤレスデバイスの第２のセットがワイヤレス周波数の第２のセットを利用することを指示するメッセージをアクセスポイントから送信することと、ここで、前記ワイヤレス周波数の第２のセットは、前記ワイヤレス周波数の第１のセットと重複しない、
前記ワイヤレスデバイスの第１のセットおよび第２のセットの両方が、それぞれ、前記ワイヤレス周波数の第１のセットおよび第２のセットを介した送信を開始することができることを指示する基準信号を、前記ワイヤレス周波数の第２のセットを介して前記アクセスポイントから送信することと、
前記アクセスポイントにおいて、前記ワイヤレス周波数の第１のセット上で、前記ワイヤレスデバイスの第１のセットサブセットから通信を受信することと、
前記ワイヤレス周波数の第２のセット上で、前記ワイヤレスデバイスの第２のセットから通信を受信することと、
を備える、方法。
【請求項２】
前記アクセスポイントに関連付けられたワイヤレスデバイスのセット中の各ワイヤレスデバイスのためのパフォーマンス特性を決定することと、
前記セット中の各ワイヤレスデバイスを、前記パフォーマンス特性に基づいて、ワイヤレスデバイスの少なくとも第１のサブセットおよび第２のサブセットに類別することと、
をさらに備える、請求項１に記載の方法。
【請求項３】
前記ワイヤレスデバイスの第１のセットは、前記パフォーマンス特性として、前記ワイヤレスデバイスの第２のセットと比較して、より高い信号対干渉プラス雑音比（ＳＩＮＲ）、より高いジオメトリレーティング、より高い受信信号強度インジケータ（ＲＳＳＩ）、または、より大きい送信能力を有する、請求項１に記載の方法。
【請求項４】
前記パフォーマンス特性として、前記ワイヤレスデバイスの第１のセットは、セル内デバイスを備え、前記ワイヤレスデバイスの第２のセットは、セルエッジデバイスを備える、請求項１に記載の方法。
【請求項５】
前記ワイヤレスデバイスの第１のセットは、前記パフォーマンス特性として、前記ワイヤレスデバイスの第２のセットと比較して、より高い変調およびコーディング方式（ＭＣＳ）値を有する、請求項１に記載の方法。
【請求項６】
前記ワイヤレスデバイスの第１のセットは、前記パフォーマンス特性として、前記ワイヤレスデバイスの第２のセットと比較して、より低い干渉を有する、請求項１に記載の方法。
【請求項７】
前記ワイヤレスデバイスの第２のセットに、前記ワイヤレス周波数の第２のセットを割り当てることをさらに備える、請求項１に記載の方法。
【請求項８】
前記ワイヤレスデバイスの第２のセット中の少なくとも１つのデバイスから、前記ワイヤレス周波数の第２のセットの指示を受信することをさらに備える、請求項１に記載の方法。
【請求項９】
前記アクセスポイントに関連付けられていない１つまたは複数のデバイスへ、前記ワイヤレス周波数の第２のセットの指示を送信することをさらに備える、請求項１に記載の方法。
【請求項１０】
前記アクセスポイントに関連付けられていない１つまたは複数のデバイスから、前記ワイヤレス周波数の第２のセットの指示を受信することをさらに備える、請求項１に記載の方法。
【請求項１１】
近隣デバイスによって採用された周波数の１つまたは複数の第２のセットとの重複を最小限に抑えるように、前記周波数の第２のセットを選択することをさらに備える、請求項１０に記載の方法。
【請求項１２】
前記ワイヤレスデバイスの第２のセット中の少なくとも１つのワイヤレスデバイスは、前記周波数の第１のセット全体上で送信することが不可能であるレガシーデバイスを備える、請求項１に記載の方法。
【請求項１３】
前記ワイヤレスデバイスの第２のセット中の少なくとも１つのデバイスから、送信準備完了（ＲＴＸ）フレームを受信することをさらに備える、請求項１に記載の方法。
【請求項１４】
前記ワイヤレスデバイスの第２のセット中の少なくとも１つのデバイスへ、基準信号を送信することをさらに備える、請求項１に記載の方法。
【請求項１５】
前記ワイヤレスデバイスの第２のセットから通信を受信するための時間をスケジュールすることをさらに備える、請求項１に記載の方法。
【請求項１６】
前記ワイヤレスデバイスの第２のセット中の少なくとも１つのデバイスから、前記少なくとも１つのデバイスがデータを送る準備ができているという指示を受信することをさらに備える、請求項１に記載の方法。
【請求項１７】
高効率ワイヤレス周波数分割多重化を実行するように構成されたアクセスポイントであって、
ワイヤレスデバイスの第１のセットがワイヤレスデバイスの第２のセットよりも高いパフォーマンス特性を有すると決定すること、
を行うように構成されたプロセッサと、
前記決定に基づいて、前記ワイヤレスデバイスの第１のセットがワイヤレス周波数の第１のセットを利用し、前記ワイヤレスデバイスの第２のセットがワイヤレス周波数の第２のセットを利用することを指示するメッセージを送信することと、ここで、前記ワイヤレス周波数の第２のセットは、前記ワイヤレス周波数の第１のセットと重複しない、
前記ワイヤレスデバイスの第１のセットおよび第２のセットの両方が、それぞれ、前記ワイヤレス周波数の第１のセットおよび第２のセットを介した送信を開始することができることを指示する基準信号を、前記ワイヤレス周波数の第２のセットを介して送信することと、
を行うように構成された送信機と、
前記ワイヤレス周波数の第１のセット上で、前記ワイヤレスデバイスの第１のセットから通信を受信することと、
前記ワイヤレス周波数の第２のセット上で、前記ワイヤレスデバイスの第２のセットから通信を受信することと、
を行うように構成された受信機と、
を備える、アクセスポイント。
【請求項１８】
前記プロセッサは、
前記アクセスポイントに関連付けられたワイヤレスデバイスのセット中の各ワイヤレスデバイスのためのパフォーマンス特性を決定することと、
前記セット中の各ワイヤレスデバイスを、前記パフォーマンス特性に基づいて、ワイヤレスデバイスの少なくとも第１のサブセットおよび第２のサブセットに類別することと、
を行うようにさらに構成される、請求項１７に記載のアクセスポイント。
【請求項１９】
前記ワイヤレスデバイスの第１のセットは、前記パフォーマンス特性として、前記ワイヤレスデバイスの第２のセットと比較して、より高い信号対干渉プラス雑音比（ＳＩＮＲ）、より高いジオメトリレーティング、より高い受信信号強度インジケータ（ＲＳＳＩ）、または、より大きい送信能力を有する、請求項１７に記載のアクセスポイント。
【請求項２０】
前記パフォーマンス特性として、前記ワイヤレスデバイスの第１のセットは、セル内デバイスを備え、前記ワイヤレスデバイスの第２のセットは、セルエッジデバイスを備える、請求項１７に記載のアクセスポイント。
【請求項２１】
前記ワイヤレスデバイスの第１のセットは、前記パフォーマンス特性として、前記ワイヤレスデバイスの第２のセットと比較して、より高い変調およびコーディング方式（ＭＣＳ）値を有する、請求項１７に記載のアクセスポイント。
【請求項２２】
前記ワイヤレスデバイスの第１のセットは、前記パフォーマンス特性として、前記ワイヤレスデバイスの第２のセットと比較して、より低い干渉を有する、請求項１７に記載のアクセスポイント。
【請求項２３】
前記プロセッサは、前記ワイヤレスデバイスの第２のセットに、前記ワイヤレス周波数の第２のセットを割り当てるようにさらに構成される、請求項１７に記載のアクセスポイント。
【請求項２４】
前記受信機は、前記ワイヤレスデバイスの第２のセット中の少なくとも１つのデバイスから、前記ワイヤレス周波数の第２のセットの指示を受信するようにさらに構成される、請求項１７に記載のアクセスポイント。
【請求項２５】
前記送信機は、前記アクセスポイントに関連付けられていない１つまたは複数のデバイスへ、前記ワイヤレス周波数の第２のセットの指示を送信するようにさらに構成される、請求項１７に記載のアクセスポイント。
【請求項２６】
前記受信機は、前記アクセスポイントに関連付けられていない１つまたは複数のデバイスから、前記ワイヤレス周波数の第２のセットの指示を受信するようにさらに構成される、請求項１７に記載のアクセスポイント。
【請求項２７】
プロセッサは、近隣デバイスによって採用された周波数の１つまたは複数の第２のセットとの重複を最小限に抑えるように、前記周波数の第２のセットを選択するようにさらに構成される、請求項２６に記載の方法。
【請求項２８】
前記ワイヤレスデバイスの第２のセット中の少なくとも１つのワイヤレスデバイスは、前記周波数の第１のセット全体上で送信することが不可能であるレガシーデバイスを備える、請求項１７に記載のアクセスポイント。
【請求項２９】
前記受信機は、前記ワイヤレスデバイスの第２のセット中の少なくとも１つのデバイスから、送信準備完了（ＲＴＸ）フレームを受信するようにさらに構成される、請求項１７に記載のアクセスポイント。
【請求項３０】
前記送信機は、前記ワイヤレスデバイスの第２のセット中の少なくとも１つのデバイスへ、基準信号を送信するようにさらに構成される、請求項１７に記載のアクセスポイント。
【請求項３１】
前記プロセッサは、前記ワイヤレスデバイスの第２のセットから通信を受信するための時間をスケジュールするようにさらに構成される、請求項１７に記載のアクセスポイント。
【請求項３２】
前記受信機は、前記ワイヤレスデバイスの第２のセット中の少なくとも１つのデバイスから、前記少なくとも１つのデバイスがデータを送る準備ができているという指示を受信するようにさらに構成される、請求項１７に記載のアクセスポイント。
【請求項３３】
高効率ワイヤレス周波数分割多重化のための装置であって、
ワイヤレスデバイスの第１のセットが、ワイヤレスデバイスの第２のセットよりも高いパフォーマンス特性を有すると決定するための手段と、
前記決定に基づいて、前記ワイヤレスデバイスの第１のセットがワイヤレス周波数の第１のセットを利用し、前記ワイヤレスデバイスの第２のセットがワイヤレス周波数の第２のセットを利用することを指示するメッセージをアクセスポイントから送信するための手段と、ここで、前記ワイヤレス周波数の第２のセットは、前記ワイヤレス周波数の第１のセットと重複しない、
前記ワイヤレスデバイスの第１のセットおよび第２のセットの両方が、それぞれ、前記ワイヤレス周波数の第１のセットおよび第２のセットを介した送信を開始することができることを指示する基準信号を、前記ワイヤレス周波数の第２のセットを介して前記アクセスポイントから送信するための手段と、
前記アクセスポイントにおいて、前記ワイヤレス周波数の第１のセット上で、前記ワイヤレスデバイスの第１のセットから通信を受信するための手段と、
前記ワイヤレス周波数の第２のセット上で、前記ワイヤレスデバイスの第２のセットから通信を受信するための手段と、
を備える、装置。
【請求項３４】
実行されたとき、装置に、
ワイヤレスデバイスの第１のセットが、ワイヤレスデバイスの第２のセットよりも高いパフォーマンス特性を有すると決定することと、
前記決定に基づいて、前記ワイヤレスデバイスの第１のセットがワイヤレス周波数の第１のセットを利用し、前記ワイヤレスデバイスの第２のセットがワイヤレス周波数の第２のセットを利用することを指示するメッセージをアクセスポイントから送信することと、ここで、前記ワイヤレス周波数の第２のセットは、前記ワイヤレス周波数の第１のセットと重複しない、
前記ワイヤレスデバイスの第１のセットおよび第２のセットの両方が、それぞれ、前記ワイヤレス周波数の第１のセットおよび第２のセットを介した送信を開始することができることを指示する参照信号を、前記ワイヤレス周波数の第２のセットを介して前記アクセスポイントから送信することと、
前記アクセスポイントによって、前記ワイヤレス周波数の第１のセット上で、前記ワイヤレスデバイスの第１のセットから通信を受信することと、
前記アクセスポイントによって、前記ワイヤレス周波数の第２のセット上で、前記ワイヤレスデバイスの第２のセットから通信を受信することと、
を行わせるコードを備える、非一時的コンピュータ可読媒体。
【請求項３５】
１つまたは複数の局情報フィールドを備えるように前記基準信号を生成することをさらに備え、各局情報フィールドは、前記デバイスの第１のセットまたは第２のセット中の前記デバイスの１つ、フレームチェックシーケンス（ＦＣＳ）、および最終の局情報フィールドと前記ＦＣＳとの間の１つまたは複数のパディングビットを識別する、請求項１に記載の方法。
【請求項３６】
前記ワイヤレス周波数の第１のセットを介して前記ワイヤレスデバイスの第１のセットから受信された前記通信は、前記ワイヤレス周波数の第２のセットを介して前記ワイヤレスデバイスの第２のセットから受信された前記通信とは異なる物理レイヤプリアンブルを利用する、請求項１に記載の方法。
【請求項３７】
送信可フレームを生成することと、前記送信可フレームが拡張ペイロードを含むことを指示するように前記送信可フレームの１つまたは複数の予約済みビットを設定することと、をさらに備え、前記拡張ペイロードは、前記ワイヤレスデバイスの第１のセットが、前記基準信号の後の時間にＦＤＭＡを介して送信するのに適格であることを指示し、前記送信可フレームは前記基準信号である、請求項１に記載の方法。
【請求項３８】
少なくとも部分的に同時に、前記ワイヤレスデバイスの第１のセットおよび第２のセットから前記通信を受信することをさらに備える、請求項３７に記載の方法。
【手続補正２】
【補正対象書類名】明細書
【補正対象項目名】０２０５
【補正方法】変更
【補正の内容】
【０２０５】
[00231]上記は本開示の態様を対象とするが、本開示の他の態様およびさらなる態様は、その基本的範囲から逸脱することなく考案され得、その範囲は以下の特許請求の範囲によって決定される。
以下に、本願出願の当初の特許請求の範囲に記載された発明を付記する。
［Ｃ１］
高効率ワイヤレス周波数分割多重化の方法であって、
アクセスポイントにおいて、ワイヤレス周波数の第１のセット上で、ワイヤレスデバイスの第１のサブセットから通信を受信することと、
ワイヤレス周波数の第２のセット上で、ワイヤレスデバイスの第２のサブセットから通信を受信することと、前記ワイヤレス周波数の第２のセットは、前記第１のもののサブセットであり、
を備え、
ここで、前記ワイヤレスデバイスの第１のセットは、前記ワイヤレスデバイスの第２のセットよりも高い性能パフォーマンスを有する、方法。
［Ｃ２］
前記アクセスポイントに関連付けられたワイヤレスデバイスのセット中の各ワイヤレスデバイスのための性能パフォーマンスを決定することと、
前記セット中の各ワイヤレスデバイスを、前記性能パフォーマンスに基づいて、ワイヤレスデバイスの少なくとも第１のサブセットおよび第２のサブセットに類別することと、
をさらに備える、Ｃ１に記載の方法。
［Ｃ３］
前記ワイヤレスデバイスの第１のサブセットは、前記性能パフォーマンスとして、前記ワイヤレスデバイスの第２のサブセットと比較して、より高い信号対干渉プラス雑音比（ＳＩＮＲ）、より高いジオメトリレーティング、より高い受信信号強度インジケータ（ＲＳＳＩ）、または、より大きい送信能力を有する、Ｃ１に記載の方法。
［Ｃ４］
前記性能パフォーマンスとして、前記ワイヤレスデバイスの第１のサブセットは、セル内デバイスを備え、前記ワイヤレスデバイスの第２のサブセットは、セルエッジデバイスを備える、Ｃ１に記載の方法。
［Ｃ５］
前記ワイヤレスデバイスの第１のサブセットは、前記性能パフォーマンスとして、前記ワイヤレスデバイスの第２のサブセットと比較して、より高い変調およびコーディング方式（ＭＣＳ）値を有する、Ｃ１に記載の方法。
［Ｃ６］
前記ワイヤレスデバイスの第１のサブセットは、前記性能パフォーマンスとして、前記ワイヤレスデバイスの第２のサブセットと比較して、より低い干渉を有する、Ｃ１に記載の方法。
［Ｃ７］
前記ワイヤレスデバイスの第２のサブセットに、前記ワイヤレス周波数の第２のセットを割り当てることをさらに備える、Ｃ１に記載の方法。
［Ｃ８］
前記ワイヤレスデバイスの第２のサブセット中の少なくとも１つのデバイスから、前記ワイヤレス周波数の第２のセットの指示を受信することをさらに備える、Ｃ１に記載の方法。
［Ｃ９］
前記アクセスポイントに関連付けられていない１つまたは複数のデバイスへ、前記ワイヤレス周波数の第２のセットの指示を送信することをさらに備える、Ｃ１に記載の方法。
［Ｃ１０］
前記アクセスポイントに関連付けられていない１つまたは複数のデバイスから、前記ワイヤレス周波数の第２のセットの指示を受信することをさらに備える、Ｃ１に記載の方法。
［Ｃ１１］
近隣デバイスによって採用された周波数の１つまたは複数の第２のセットとの重複を最小限に抑えるように、前記周波数の第２のセットを選択することをさらに備える、Ｃ１０に記載の方法。
［Ｃ１２］
前記ワイヤレスデバイスの第２のサブセット中の少なくとも１つのワイヤレスデバイスは、前記周波数の第１のサブセット全体上で送信することが不可能であるレガシーデバイスを備える、Ｃ１に記載の方法。
［Ｃ１３］
前記ワイヤレスデバイスの第２のサブセット中の少なくとも１つのデバイスから、送信準備完了（ＲＴＸ）フレームを受信することをさらに備える、Ｃ１に記載の方法。
［Ｃ１４］
前記ワイヤレスデバイスの第２のサブセット中の少なくとも１つのデバイスへ、基準信号を送信することをさらに備える、Ｃ１に記載の方法。
［Ｃ１５］
前記ワイヤレスデバイスの第２のサブセットから通信を受信するための時間をスケジュールすることをさらに備える、Ｃ１に記載の方法。
［Ｃ１６］
前記ワイヤレスデバイスの第２のサブセット中の少なくとも１つのデバイスから、前記少なくとも１つのデバイスがデータを送る準備ができているという指示を受信することをさらに備える、Ｃ１に記載の方法。
［Ｃ１７］
高効率ワイヤレス周波数分割多重化を実行するように構成されたアクセスポイントであって、
プロセッサと、
ワイヤレス周波数の第１のセット上で、ワイヤレスデバイスの第１のサブセットから通信を受信することと、
ワイヤレス周波数の第２のセット上で、ワイヤレスデバイスの第２のサブセットから通信を受信することと、前記ワイヤレス周波数の第２のセットは、前記第１のもののサブセットであり、
を行うように構成された受信機と、
を備え、
ここで、前記ワイヤレスデバイスの第１のセットは、前記ワイヤレスデバイスの第２のセットよりも高い性能パフォーマンスを有する、アクセスポイント。
［Ｃ１８］
前記プロセッサは、
前記アクセスポイントに関連付けられたワイヤレスデバイスのセット中の各ワイヤレスデバイスのための性能パフォーマンスを決定することと、
前記セット中の各ワイヤレスデバイスを、前記性能パフォーマンスに基づいて、ワイヤレスデバイスの少なくとも第１のサブセットおよび第２のサブセットに類別することと、
を行うようにさらに構成される、Ｃ１７に記載のアクセスポイント。
［Ｃ１９］
前記ワイヤレスデバイスの第１のサブセットは、前記性能パフォーマンスとして、前記ワイヤレスデバイスの第２のサブセットと比較して、より高い信号対干渉プラス雑音比（ＳＩＮＲ）、より高いジオメトリレーティング、より高い受信信号強度インジケータ（ＲＳＳＩ）、または、より大きい送信能力を有する、Ｃ１７に記載のアクセスポイント。
［Ｃ２０］
前記性能パフォーマンスとして、前記ワイヤレスデバイスの第１のサブセットは、セル内デバイスを備え、前記ワイヤレスデバイスの第２のサブセットは、セルエッジデバイスを備える、Ｃ１７に記載のアクセスポイント。
［Ｃ２１］
前記ワイヤレスデバイスの第１のサブセットは、前記性能パフォーマンスとして、前記ワイヤレスデバイスの第２のサブセットと比較して、より高い変調およびコーディング方式（ＭＣＳ）値を有する、Ｃ１７に記載のアクセスポイント。
［Ｃ２２］
前記ワイヤレスデバイスの第１のサブセットは、前記性能パフォーマンスとして、前記ワイヤレスデバイスの第２のサブセットと比較して、より低い干渉を有する、Ｃ１７に記載のアクセスポイント。
［Ｃ２３］
前記プロセッサは、前記ワイヤレスデバイスの第２のサブセットに、前記ワイヤレス周波数の第２のセットを割り当てるようにさらに構成される、Ｃ１７に記載のアクセスポイント。
［Ｃ２４］
前記受信機は、前記ワイヤレスデバイスの第２のサブセット中の少なくとも１つのデバイスから、前記ワイヤレス周波数の第２のセットの指示を受信するようにさらに構成される、Ｃ１７に記載のアクセスポイント。
［Ｃ２５］
前記送信機は、前記アクセスポイントに関連付けられていない１つまたは複数のデバイスへ、前記ワイヤレス周波数の第２のセットの指示を送信するようにさらに構成される、Ｃ１７に記載のアクセスポイント。
［Ｃ２６］
前記受信機は、前記アクセスポイントに関連付けられていない１つまたは複数のデバイスから、前記ワイヤレス周波数の第２のセットの指示を受信するようにさらに構成される、Ｃ１７に記載のアクセスポイント。
［Ｃ２７］
プロセッサは、近隣デバイスによって採用された周波数の１つまたは複数の第２のセットとの重複を最小限に抑えるように、前記周波数の第２のセットを選択するようにさらに構成される、Ｃ２６に記載の方法。
［Ｃ２８］
前記ワイヤレスデバイスの第２のサブセット中の少なくとも１つのワイヤレスデバイスは、前記周波数の第１のサブセット全体上で送信することが不可能であるレガシーデバイスを備える、Ｃ１７に記載のアクセスポイント。
［Ｃ２９］
前記受信機は、前記ワイヤレスデバイスの第２のサブセット中の少なくとも１つのデバイスから、送信準備完了（ＲＴＸ）フレームを受信するようにさらに構成される、Ｃ１７に記載のアクセスポイント。
［Ｃ３０］
前記送信機は、前記ワイヤレスデバイスの第２のサブセット中の少なくとも１つのデバイスへ、基準信号を送信するようにさらに構成される、Ｃ１７に記載のアクセスポイント。
［Ｃ３１］
前記プロセッサは、前記ワイヤレスデバイスの第２のサブセットから通信を受信するための時間をスケジュールするようにさらに構成される、Ｃ１７に記載のアクセスポイント。
［Ｃ３２］
前記受信機は、前記ワイヤレスデバイスの第２のサブセット中の少なくとも１つのデバイスから、前記少なくとも１つのデバイスがデータを送る準備ができているという指示を受信するようにさらに構成される、Ｃ１７に記載のアクセスポイント。
［Ｃ３３］
高効率ワイヤレス周波数分割多重化のための装置であって、
ワイヤレス周波数の第１のセット上で、ワイヤレスデバイスの第１のサブセットから通信を受信するための手段と、
ワイヤレス周波数の第２のセット上で、ワイヤレスデバイスの第２のサブセットから通信を受信するための手段と、前記ワイヤレス周波数の第２のセットは、前記第１のもののサブセットであり、
を備え、
ここで、前記ワイヤレスデバイスの第１のセットは、前記ワイヤレスデバイスの第２のセットよりも高い性能パフォーマンスを有する、装置。
［Ｃ３４］
実行されたとき、装置に、
ワイヤレス周波数の第１のセット上で、ワイヤレスデバイスの第１のサブセットから通信を受信することと、
ワイヤレス周波数の第２のセット上で、ワイヤレスデバイスの第２のサブセットから通信を受信することと、前記ワイヤレス周波数の第２のセットは、前記第１のもののサブセットであり、
を行わせるコードを備え、
ここで、前記ワイヤレスデバイスの第１のセットは、前記ワイヤレスデバイスの第２のセットよりも高い性能パフォーマンスを有する、非一時的コンピュータ可読媒体。